(57)【特許請求の範囲】
【請求項１】
窓抱きを形成する方法であって、
建物壁内に形成された開口内に搭載される窓を提供することであって、前記窓は、第１から第４の伸長部分を有する枠を有し、前記枠の各伸長部分は、その中に形成された伸長スロットを有する、ことと、
第１から第４の抱きを提供することであって、各抱きは、前記抱きが略Ｌ形状断面であるように接続される伸長本体およびフランジを有し、前記第１から第４の抱きのうちの１つ以上は、１つ以上の発泡体挿入孔を含み、前記１つ以上の発泡体挿入孔を介して発泡体が挿入され得る、ことと、
前記第１から第４の抱きの伸長本体の縁を前記第１から第４の伸長部分の個別の伸長スロット内に挿入することにより、前記縁が前記伸長スロット内に保持され、前記枠に垂直な方向で前記枠から離れる方向に前記伸長本体が延在するようにすることであって、前記抱きの伸長本体は、前記窓の周縁上で連続的である窓抱きを画定するように協働する、ことと、
各抱きのフランジを前記建物壁に取着することと、
前記１つ以上の発泡体挿入孔を介して発泡体を挿入することと
を含む、方法。
【請求項２】
窓抱きキットであって、
窓であって、前記窓は、第１の側面および第２の側面を有し、前記窓の周縁上に枠部分を含む、窓と、
前記窓の第２の側面上の前記枠部分上に形成される第１の接続部と、
少なくとも１つの抱きであって、前記抱きは、前記抱きが前記第１の接続部から延在するように前記第１の接続部に係合するように構成される第２の接続部を含む、抱きと
を含み、
前記少なくとも１つの抱きは、１つ以上の発泡体挿入孔を含み、前記１つ以上の発泡体挿入孔を介して発泡体が挿入され得る、窓抱きキット。
【請求項３】
前記第１の接続部は、スロット溝であり、前記第２の接続部は、突起である、請求項２に記載の窓抱きキット。
【請求項４】
前記抱きは、伸長本体と、前記伸長本体に対して直角のフランジとを含む、請求項２に記載の窓抱きキット。
【請求項５】
前記抱きは、Ｌ形状を含む、請求項４に記載の窓抱きキット。
【請求項６】
前記Ｌ形状の第１の端部は、前記第２の接続部であり、前記Ｌ形状の第２の端部は、前記窓の枠部分に当接する壁部材を遮蔽する、請求項５に記載の窓抱きキット。
【請求項７】
前記Ｌ形状の第２の端部は、前記壁部材の端部を遮蔽する、請求項６に記載の窓抱きキット。
【請求項８】
前記第１の接続部は、前記窓の枠部分の周縁上に形成されている、請求項２に記載の窓抱きキット。
【請求項９】
複数の抱きを含み、それぞれ、前記窓の少なくとも１つの第１の接続部によって搭載されている、請求項２に記載の窓抱きキット。
【請求項１０】
前記複数の抱きは、前記窓の周縁上に搭載されている、請求項９に記載の窓抱きキット。
【請求項１１】
前記少なくとも１つの抱きは、取着部分を含み、前記窓抱きキットは、挿入部をさらに含み、前記挿入部は、前記少なくとも１つの抱きの取着部分と相互係合し、前記挿入部を前記少なくとも１つの抱きに可逆的に取着するように構成される取着部分を含む、請求項２に記載の窓抱きキット。
【請求項１２】
前記挿入部は、前記少なくとも１つの抱きを視界から遮蔽する、請求項１１に記載の窓抱きキット。
【請求項１３】
窓抱きを形成する方法であって、
窓を建物枠構造に搭載することであって、前記窓は、その周縁上に枠を有し、前記枠は、その上に形成される第１の接続部を有する、ことと、
壁部材を前記窓の周縁近傍に適用することと、
前記枠の前記第１の接続部に係合するように構成される第２の接続部と、伸長本体と、フランジとを有する抱きを前記窓に接続することであって、前記抱きは、１つ以上の発泡体挿入孔を含み、前記１つ以上の発泡体挿入孔を介して発泡体が挿入され得る、ことと、
前記フランジを前記建物枠構造に取着することと、
前記１つ以上の発泡体挿入孔を介して発泡体を挿入することと
を含む、方法。
【請求項１４】
前記抱きは、前記建物枠構造の縁を被覆する、請求項１３に記載の窓抱きを形成する方法。
【請求項１５】
挿入部を前記抱きに可逆的に取着するステップをさらに含む、請求項１３に記載の窓抱きを形成する方法。
【請求項１６】
前記壁部材は、前記抱きを接続することの後に適用される、請求項１３に記載の窓抱きを形成する方法。
【請求項１７】
前記抱きは、前記窓および前記建物枠構造の上側部分に搭載され、前記抱き、前記窓、および前記建物枠構造間に封入空間を画定する、請求項１３に記載の窓抱きを形成する方法。
【請求項１８】
展開式ブラインドアセンブリを前記封入空間内に搭載するステップをさらに含み、前記展開式ブラインドアセンブリは、前記封入空間から展開して前記窓を遮蔽するように構成される、請求項１７に記載の窓抱きを形成する方法。
【請求項１９】
第２の抱きを前記窓および前記建物枠構造の側面に搭載するステップをさらに含み、前記第２の抱きは、ブラインドトラックを画定し、前記展開式ブラインドアセンブリが、前記窓を遮蔽するように展開されるのに伴って、前記ブラインドトラック内へと延在することができる、請求項１８に記載の窓抱きアセンブリ。
【発明の詳細な説明】
【技術分野】
【０００１】
本発明は、建築および改装の分野におけるものであって、より具体的には、窓および窓抱きに関する。
【背景技術】
【０００２】
窓が、最初に、構造内に設置されると、建築が完了する前に、実質的仕上げ作業が残っている。窓抱きとして知られる、窓に直接隣接する構造の部分は、典型的には、手動で仕上げられる。そのような仕上げ作業は、典型的には、窓の周囲に、胴縁、次いで、乾式壁を適用し、玉縁を設置し、テープで留め（典型的には、泥土を塗る、または接合混合物を適用するステップを含む）、研磨し、表面加工し、塗装し、次いで、残った泥土および塗料を窓枠およびガラスから清掃するステップを伴う。これらのタスクはそれぞれ、通常、個別の専門性を有する異なる作業者によって行なわれる。本プロセスは、時間がかかり、一貫性がなく、かつ不完全であることに悩まされ、不均一な寸法および建築欠陥の高発生率につながる。
【発明の概要】
【課題を解決するための手段】
【０００３】
したがって、当技術分野において、より一貫性があって、より単純、かつより高い仕上げ品質の窓抱き、ならびに窓抱きを構築するためのより高速なプロセスを提供する、改良されたデバイスおよび方法の必要性が存在する。
【０００４】
一実施形態では、窓は、その枠内にスロットを有する。スロットは、関連付けられた構造の内部に向かって開放する。伸長抱きトリムは、略Ｌ形状断面に配列される２つの面体を有し、窓の片側の長さに整合する長さを有する。抱きトリム面体のうちの一方の伸長縁は、スロットから延在するように、その長さに沿って、スロット内に嵌合する。Ｌ形状抱きトリムの他方の面体は、窓に隣接する壁構造に取着する。
【０００５】
好ましくは、典型的長方形窓の各側面に対して１つずつ、４つの抱きトリムが、提供され、好ましくは、抱きトリムは、事前に製造された窓スロット内に精密に嵌合し、相互に当接するように定寸される。最も好ましくは、各抱きトリム端部は、設置されると、隣接する抱きトリムの端部が、相互に係合するように、４５°の角度で形成される。
【０００６】
実際は、窓が、構造内に搭載されると、単一作業者が、各抱きトリムをその対応するスロット内に嵌合し、各抱きトリムを壁構造に取着することによって、窓抱きを設置することができる。したがって、単一作業者が、窓抱きを迅速かつ容易に、建築業において、広範な訓練および経験がほとんど必要なく、設置および仕上げることができる。また、本システムおよび方法によって、窓は、接合混合物および塗料等の建物材料から離間され、したがって、窓を清掃する必要が殆どまたは全くない。加えて、窓サイズに密接に整合する、事前に加工された抱きトリムは、寸法的に正確かつ正方形である、窓抱きの構築を可能にする。
【０００７】
一実施形態では、窓抱きキットは、窓、第１の接続部、および少なくとも１つの抱きトリムを含むことができる。窓は、第１の側面、第２の側面、および窓の周縁を中心とした枠部分を有する。第１の接続部は、窓の第２の側面上の枠部分上に形成される。少なくとも１つの抱きトリムは、抱きトリムが、第１の接続部から延在するように、第１の接続部に係合するように構成される、第２の接続部を有する。
【０００８】
別の実施形態では、窓抱きを形成する方法が、提供される。窓は、建物枠構造に搭載することができる。窓は、その周縁を中心として枠を有することができ、枠は、その上に形成される第１の接続部を有することができる。次いで、壁部材を窓の周縁近傍に適用することができる。さらに、抱きトリムは、第１の接続部と相互作用する、第２の接続部を介して、窓に接続することができる。抱きトリムは、第２の接続部、本体部分、および搭載部分を含む。抱きトリムの搭載部分は、構造に取着することができる。
【０００９】
別の実施形態では、窓枠が、提供される。窓枠は、実質的に、平坦かつ透明なガラス板を含むことができる。枠は、ガラス平面の周囲に搭載され、ガラス板を固着し、構造支持をガラス板に提供することができる。最後に、枠は、ガラス板の平面に略垂直に配向されたスロットを有することができる。スロットは、ガラス板の周縁全体を中心として延在することができる。
本明細書は、例えば、以下の項目も提供する。
（項目１）
窓抱きを形成する方法であって、
建物壁内に形成された開口内に搭載される窓を提供するステップであって、前記窓は、第１から第４の伸長側面を有する枠を有し、前記枠の各伸長側面は、その中に形成された伸長スロットを有する、ステップと、
第１から第４の伸長抱きトリムを提供するステップであって、各抱きトリムは、前記抱きトリムが、略Ｌ形状断面であるように、接続される、面体部分および搭載部分を有する、ステップと、
前記縁が、前記スロット内に保持され、前記面体部分が、前記窓枠から外向きかつ略垂直に延在するように、前記第１から第４の伸長抱きトリムの面体部分の縁を前記第１から第４の伸長側面の個別の伸長枠スロット内に挿入するステップであって、前記抱きトリムの面体部分は、前記窓の周縁を中心として、略連続的である、窓抱きを画定するように協働する、ステップと、
各抱きトリムの搭載部分を前記壁に取着するステップと
を含む、方法。
（項目２）
第１の側面および第２の側面を有し、前記窓の周縁を中心とした枠部分を含む、窓と、
前記窓の第２の側面上の前記枠部分上に形成される、第１の接続部と、
前記抱きトリムが、前記第１の接続部から延在するように、前記第１の接続部に係合するように構成される、第２の接続部を含む、少なくとも１つの抱きトリムと
を含む、窓抱きキット。
（項目３）
前記第１の接続部は、スロット溝であり、前記第２の接続部は、突起である、項目２に記載の窓抱きキット。
（項目４）
前記抱きトリムは、本体部分と、前記本体部分に対して直角の搭載部分と、を含む、項目２に記載の窓抱きキット。
（項目５）
前記抱きトリムは、Ｌ形状を含む、項目４に記載の窓抱きキット。
（項目６）
前記Ｌ形状の第１の端部は、前記第２の接続部を含み、前記Ｌ形状の第２の端部は、概して、前記枠に入れられた窓に当接する、構造要素を遮蔽する、項目５に記載の窓抱きキット。
（項目７）
前記Ｌ形状の第２の端部は、壁要素の端部を遮蔽する、項目６に記載の窓抱きキット。
（項目８）
前記第１の接続部は、前記窓の周縁全体を中心として、延在する、項目２に記載の窓抱きキット。
（項目９）
複数の抱きトリムを含み、それぞれ、前記窓の少なくとも１つの第１の接続部によって搭載される、項目２に記載の窓抱きキット。
（項目１０）
前記トリムは、前記窓の周縁全体を中心として、延在する、項目９に記載の窓抱きキット。
（項目１１）
前記トリムは、取着部分を含み、前記アセンブリは、挿入部をさらに含み、前記挿入部は、前記トリム取着部分と相互係合し、前記挿入部を前記トリムに可逆的に取着するように構成される、取着部分を含む、項目２に記載の窓抱きキット。
（項目１２）
前記挿入部は、前記トリムを視界から遮蔽する、項目１１に記載の窓抱きキット。
（項目１３）
窓抱きを形成する方法であって、
窓を建物枠構造に搭載するステップであって、前記窓は、その周縁を中心として、枠を有し、前記枠は、その上に形成される第１の接続部を有する、ステップと、
壁部材を前記窓の周縁近傍に適用するステップと、
前記枠の前記第１の接続部に係合するように構成される、第２の接続部、本体部分、および搭載部分を有する、抱きトリムを前記窓に接続するステップと、
前記搭載部分を前記構造に取着するステップと
を含む、方法。
（項目１４）
前記トリムは、前記構造の縁を被覆する、項目１３に記載の窓抱きを形成する方法。
（項目１５）
挿入部を前記抱きトリムに可逆的に取着するステップをさらに含む、項目１３に記載の窓抱きを形成する方法。
（項目１６）
前記壁部材は、前記接続ステップ後、適用される、項目１３に記載の窓抱きを形成する方法。
（項目１７）
前記抱きトリムは、前記窓および前記建物枠構造の上側部分に搭載され、前記トリム、前記窓、および前記構造間に封入空間を画定する、項目１３に記載の窓抱きを形成する方法。
（項目１８）
展開式ブラインドアセンブリを前記空間内に搭載するステップをさらに含み、前記ブラインドアセンブリは、前記空間から展開し、前記窓を遮蔽するように構成される、項目１７に記載の窓抱きを形成する方法。
（項目１９）
第２の抱きトリムを前記窓および前記建物枠の側面に搭載するステップをさらに含み、前記側面トリムは、前記ブラインドが、前記窓を遮蔽するように展開されるのに伴って、延在することができる、ブラインドトラックを画定する、項目１８に記載の窓抱きアセンブリ。
【図面の簡単な説明】
【００１０】
本発明のさらなる目的、特徴、および利点は、本発明の例証的実施形態を示す、付随の図と関連して検討される、以下の発明を実施するための形態から明白となるであろう。
【図１】図１は、建物枠構造内に搭載された窓システムの一部の内側図である。
【図２】図２は、枠に搭載された壁部材を伴う、図１の窓システムの内側図である。
【図２Ａ】図２Ａは、線２Ａ-２Ａに沿った図２の側面断面図である。
【図２Ｂ】図２Ｂは、２Ｂ-２Ｂにおける図２Ａの窓システムの拡大図である。
【図３】図３は、そこに適用された抱きトリムを伴う、図２の窓システムの内側図である。
【図３Ａ】図３Ａは、抱きトリムの挿入を示す、図３の窓システムの部分断面図である。
【図３Ｂ】図３Ｂは、図３Ａの抱きトリムの斜視図である。
【図４】図４は、少なくともいくつかの仕上げ作業が完了した、図３の窓システムの内側図である。
【図４Ａ】図４Ａは、図４の窓システムの部分断面図である。
【図５】図５は、少なくともいくつかの仕上げ作業が完了した、窓システムの別の実施形態の内側図である。
【図５Ａ】図５Ａは、抱きトリムの挿入を示す、図５の窓システムの早期段階の拡大断面図である。
【図５Ｂ】図５Ｂは、壁部材の挿入を示す、図５Ａの窓システムを示す。
【図５Ｃ】図５Ｃは、壁部材の固着を示す、図５Ｂの窓システムを示す。
【図６Ａ】図６Ａは、壁部材の固着を示す、窓システムの別の実施形態の部分断面図である。
【図６Ｂ】図６Ｂは、挿入部の適用を示す、図６Ａの窓システムを示す。
【図６Ｃ】図６Ｃは、挿入部の適用後の図６Ｂの窓システムを示す。
【図７Ａ】図７Ａは、抱きトリムの挿入を示す、窓システムの別の実施形態の部分断面図である。
【図７Ｂ】図７Ｂは、壁部材の挿入を示す、図７Ａの窓システムを示す。
【図７Ｃ】図７Ｃは、壁部材の適用後の図７Ｂの窓システムを示す。
【図８】図８は、少なくともいくつかの仕上げ作業が完了して、ブラインドが展開位置にある時の別の窓システムの内側図である。
【図８Ａ】図８Ａは、ブラインドが展開位置にある、線８Ａ-８Ａに沿った図８の窓システムの拡大断面図である。
【図８Ｂ】図８Ｂは、ブラインドが後退位置にある、図８Ａの窓システムの拡大断面図である。
【図８Ｃ】図８Ｃは、図８Ａの窓システムの一部の斜視図である。
【図８Ｄ】図８Ｄは、線８Ｄ-８Ｄに沿った図８Ｃの窓システムの拡大斜視図である。
【図８Ｅ】図８Ｅは、線８Ｅ-８Ｅに沿った図８の窓システムの垂直断面図である。
【図８Ｆ】図８Ｆは、垂直ブラインドを伴う、図８Ｃのものに類似する、窓システムの一部の斜視図である。
【図８Ｇ】図８Ｇは、図８Ｅのものに類似する、図８Ｆの窓システムの垂直断面図である。
【図９Ａ】図９Ａは、抱きトリムの別の実施形態の側面断面図である。
【図９Ｂ】図９Ｂは、抱きトリムのさらに別の実施形態の側面断面図である。
【図９Ｃ】図９Ｃは、抱きトリムのさらに別の実施形態の側面断面図である。
【図９Ｄ】図９Ｄは、抱きトリムのさらに別の実施形態の側面断面図である。
【図９Ｅ】図９Ｅは、抱きトリムのさらに別の実施形態の側面断面図である。
【図９Ｆ】図９Ｆは、抱きトリムのさらに別の実施形態の側面断面図である。
【図９Ｇ】図９Ｇは、抱きトリムのさらに別の実施形態の側面断面図である。
【発明を実施するための形態】
【００１１】
本明細書に説明されるのは、窓抱きシステムおよび方法の種々の好ましい実施形態である。初期の簡略化された実施形態では、窓抱きシステムは、事前に加工されたスロット溝と、スロット溝内に挿入することができる、複数の抱きトリム（例えば、４つの抱きトリム）と、を伴う、窓枠を含むことができる。事前に加工されたスロット溝は、適用される構造の内部に向かって面する、窓枠の一部上の窓の周縁枠全体を中心として延在することができる。窓枠が、構造内に設置されると、抱きトリムをスロット溝内に挿入し、抱きトリムを窓を中心として形成することができる。有利には、抱きトリムは、窓枠の寸法に対応するように、事前に加工され、挿入されると、精密な窓抱きを形成することができる。いくつかの実施形態では、抱きトリムはまた、囲繞構造に取着することができる（例えば、乾式壁部品上または下）。
【００１２】
窓抱きシステムおよび方法のより詳細な実施形態は、図１に描写される。構造１の木製構造枠２が、露出されている、建築のある段階における、住宅用建物等の構造１の一部が、示される。構造枠２は、別個に製造された窓１０を収容するための空間を含み、窓空間は、対向するスタッド２ｂ、マグサ２ａ、および敷居２ｃによって画定される。示されるように、窓１０は、建物枠１の窓空間内に搭載される。好ましくは、窓１０は、窓１０の周縁の外側を中心として延在することができる、窓枠１０ｂ内に封入される、１つ以上のガラス板１０ａを備える。
【００１３】
システムおよび方法は、住宅の文脈において、本明細書に説明されるが、他の構造も想定される。例えば、他の実施形態では、システムおよび方法は、オフィス用建物、自立壁、車両、および窓または類似要素を含むことができる、他の構造に適用することができる。さらに、システムおよび方法は、改装または建物枠構造の初期建築が完了後の他の作業の間、窓が交換される時等、他の建築段階に適用することができる。さらに、本明細書に説明される実施形態は、具体的材料を使用し得るが、当技術分野において周知の他の材料を代用することができる。例えば、建物枠構造の枠は、木材を使用するように説明されたが、鋼鉄、コンクリート、煉瓦、構造発泡体等の他の材料もまた、想定される。
【００１４】
図１-４を参照すると、窓システムを設置するためのシステムおよび方法のための一式の実施形態が、描写される。前述のように、建物の構造枠２および窓１０は、概して、別個に製造されるため、特に、構造枠２は、典型的には、現場で構築され、設計計画からの実質的寸法相違および／または不一致を有し得るため、窓１０は、枠２によって画定される窓空間内に精密に嵌合し得ない。そのような場合、１つ以上のトリム材２ｄを追加し、窓空間のサイズおよび位置を調節し、窓１０およびその枠１０ｂをより精密に収容することができる。
【００１５】
図２-２Ｂは、その後、内部壁が形成される、建築のある段階の間の構造１を描写する。描写される実施形態では、内部壁は、壁部材７によって形成されている。壁部材７は、釘、ネジ、リベット、または他の適切な材料等の締結具によって、構造１、またはより具体的には、構造枠２に取着することができる。壁部材７は、一般的に、乾式壁と称される、石膏を基材とする壁板であることができるが、また、他の材料を使用することもできる。
【００１６】
特に、図２Ａおよび２Ｂを参照すると、窓枠１０ｂは、窓１０の外部側面が、概して、外向きに（図２Ａにおける左に）面し、窓１０の内部側面が、概して、内向きに（図２Ａにおける右に）面するように、締結具８を用いて、窓１０を建物枠構造に搭載することができる、フランジ１１を含むことができる。他の搭載機構および方法も、所望に応じて、窓１０を窓空間内に搭載するために、採用することができることを理解されたい。発泡体５等の封止材を追加し、窓枠１０ｂと、マグサ２ａ、スタッド２ｂ、敷居２ｃ、またはトリム材２ｄ等の建物の残りの構造との間の任意の残りの間隙を実質的に密閉することができる。
【００１７】
描写されるように、窓１０は、木製枠を有する内部グリッドによって支持される、窓ガラス１０ａを伴う、単層窓であることができる。しかしながら、種々の他のタイプの窓１０が、想定される。例えば、いくつかの実施形態では、枠は、ビニル、金属、または別の材料であることができる。さらに、いくつかの実施形態では、窓１０は、二重窓ガラス窓である、または異なる数の層を有することができる。さらなる実施形態では、窓１０は、補強内部グリッドを欠くことができる。さらに、窓１０は、単一窓ガラスの据え付け窓として描写されるが、いくつかの実施形態では、窓は、複数のスライド式窓ガラスを有することができ、そのうちの少なくとも１つは、他に対して摺動可能である。同様に、いくつかの実施形態では、窓１０は、スライド式ガラスドア等のドアで代用することができる。
【００１８】
有利には、窓１０の内部側面はまた、図１に描写されるように、その周縁全体の周囲に延在する、その枠１０ｂ内に形成される、事前に加工された伸長スロット溝１２を含むことができる。スロット溝１２は、１つ以上の抱きトリム２０を受容するように構成することができる。
【００１９】
図３に描写されるように、抱きトリム２０は、窓１０の内部側面と隣接する内部壁部材７との間に延在する。特に、図３Ａおよび３Ｂを参照すると、抱きトリム２０の例証される実施形態は、伸長であって、第１の端部２２ａと山形材２２ｄとの間に延在する、伸長本体２５として描写される、第１の部分を備える。搭載フランジ２７として描写される第２の部分は、山形材２２ｄにおいて、本体２５から延在する。例証される実施形態では、搭載フランジ２７を本体２５に接続する、山形材２２ｄは、玉縁を形成することができる。描写されるように、山形材２２ｄは、本体２５と陥凹部分２３として描写される短遷移部分との間に９０度未満の角度を形成することができる。好ましくは、陥凹部分２３は、好ましくは、本体２５に対して約９０度で配向される、搭載フランジ２７に遷移する。したがって、陥凹空間は、玉縁、陥凹部分２３、および搭載フランジ２７間に画定される。陥凹空間は、山形材２２ｄから、距離ｄｌだけ陥凹することができる。一好ましい実施形態では、距離ｄｌは、約１／３２インチから１／２インチの範囲であると予測され、より好ましくは、約１／１６インチである。好ましくは、例証される実施形態では、孔である、１つ以上の締結具挿入点２４が、搭載フランジ２７上に含まれる。さらに、抱き表面は、窓１０に向かって内向きに面する、構造枠２（ここでは、マグサ２ａとして描写される）に対向する、本体２５の側面上に画定される。
【００２０】
図３Ｂに描写されるように、抱きトリム２０は、第１の側面端部２２ｃから開始し、図示されない別の側面端部で終了する、概して、任意の長さであることができる。さらに以下に論じられるように、側面端部２２ｃは、実質的に、伸長本体２５に沿って、直線であることができる。しかしながら、図３に描写されるように、山形材２２ｄにおいて、側面端部２２ｃは、それに対して垂直に配向された別の角度のトリムと嵌合することができるように、フランジ２７および陥凹部分２３に沿って、外向きに延在する、４５度の角度を形成することができる。しかしながら、他の実施形態では、さらに以下に論じられるように、側面端部２２ｃの他の角度および形状を形成することができる。
【００２１】
トリム２０は、種々の方法で生成することができる。例えば、図３Ｂに描写される実施形態は、形状に折重される材料のシートから構成することができる。他の実施形態では、トリム２０は、押出または鋳造することができる。さらなる実施形態では、トリム２０は、所望の形状に切断することができる。加えて、いくつかの実施形態では、トリム２０は、ともに取着された複数部品から形成することができる。これらの生成方法の組み合わせもまた、組み合わせられ、適切なトリム２０を形成することができる。
【００２２】
再び、図３Ａを参照すると、トリム２０は、第１の端部２２ａをスロット溝１２と整合し、搭載フランジ２７が、壁部材７に係合するまで、その中に挿入することによって、設置することができる。好ましくは、トリム２０は、釘、ネジ、接着剤等の締結具８によって、建物枠構造に（直接または間接的に）固着される。これらは、例えば、搭載フランジ２７を通して、またはその締結具挿入点２４を通して、提供することができる。
【００２３】
窓搭載の際の偏角に対応するために、いくつかの実施形態では、スロット溝１２は、搭載フランジが、第１の端部２２ａが、スロット溝の底面に遭遇する前に、壁部材７（または、他の構造）と係合するように、十分な深度を有することができる。さらに、いくつかの実施形態では、スロット溝１２は、内部枠の一部のみ（例えば、側面、上面、または底面のみ）に沿って等、窓１０の他の部分に沿って、延在することができる。一般に、スロット溝１２は、後述される、種々のトリム２０を安定して受容するように形成することができる。
【００２４】
スロット溝１２内へのトリムの第１の端部２２ａの進入を促進するために、第１の端部２２ａおよびスロット溝１２は、実質的に平面かつ窓枠１０の主平面に垂直であるように描写される。しかしながら、他の実施形態では、第１の端部２２ａおよびスロット溝１２は、弧、屈曲、または窓枠１０の主平面に非垂直な角度等、異なる形状および配向を有することができる。付加的実施形態では、伸長本体２５は、伸長本体が、溝からある角度またはオフセットにおいて延在することができるように、スロット溝１２の外部に延在することができる。概して、スロット溝１２は、トリムの位置を窓１０の加工の間に事前に画定することができるように、抱きトリム２０に対して、具体的位置に画定することができる。他の実施形態では、トリム２０は、事前にねじ切りされたネジ孔、鈎穴の組み合わせ、蟻継手、またはいくつかの他の形態の鍵-スロットの組み合わせ等の他の手段によって、所定の位置に取着することができる。さらに、いくつかの実施形態では、複数の手段を、潜在的に、異なる位置において使用し、したがって、抱きトリム２０をさらに固着することができる。
【００２５】
トリム２０が、図３Ａに最も良く描写されるように、スロット溝１２内に搭載されると、締結具８が、締結具挿入点２４ならびに乾式壁７を通過し、抱きトリム２０および乾式壁の両方をマグサ２ａ、スタッド２ｂ、または敷居２ｃ等の建物枠構造に搭載することができる。締結具は、ネジ、釘、リベット、または概して当技術分野において周知の任意の他のタイプの締結具であることができる。さらに、いくつかの実施形態では、抱きトリム２０は、コーキング、溶接、接着剤、Ｖｅｌｃｒｏ（登録商標）ＴＭ、または同等物等の他のタイプの締結具によって、建物枠構造に取着することができる。締結に先立って、トリム２０は、次いで、適切な位置に締結することができるように、適切な整合および嵌合に関して検査することができる。
【００２６】
抱きトリム２０が、スロット溝１２内に挿入され、固着されると、伸長本体２５上のその抱き表面は、可視となり得る。本体２５上の抱き表面は、抱きトリム２０の残りと異なる外観質を有することができる。例えば、いくつかの実施形態では、抱き表面は、そのような外観質を有する別の部品の取着のための特定の色、設計、質感、または構造を有することができる。
【００２７】
図３に描写されるように、４つの抱きトリム２０が、窓１０の周縁全体に及ぶことができる。したがって、抱きトリム２０の端部は、整合または相互係合形状を有し、その縁に緊密な嵌合を生成することができる。図３Ｂに描写および前述されるように、トリム２０は、山形材２２ｄにおいて、４５度の角度で配向された側面端部２２ｃを有することができる。したがって、同様に４５度の角度付けられた側面端部２２ｃを有する隣接かつ垂直なトリム２０は、その側面端部全体に沿って当接することができる。しかしながら、他の実施形態は、異なってもよい。例えば、いくつかの実施形態では、側面端部２２ｃは、９０度で角度付けられ、隣接した９０度の端部に当接するように、その側面端部に延在部分を有する、交互トリムを伴い、したがって、例えば、完全長方形トリムを形成してもよい。他の実施形態では、トリム２０は、その側面端部２２ｃの一部のみに沿って当接してもよい。さらに、いくつかの実施形態では、トリム２０は、６０度の角度付けられたトリムに当接する、３０度の角度付けられたトリムの組み合わせ等、異なる角度を使用して当接することができる。いくつかの実施形態では、トリム２０間の当接は、コーキング、発泡体、締結具、または同等物によって、仕上げおよび／または密閉することができる。さらに、いくつかの実施形態では、窓１０の側面上にのみまたは上面および／または底面上にのみ、抱きトリム２０を提供することが望ましくあり得る。他の実施形態では、抱きトリム２０は、任意の所与の側面の一部にのみ及ぶことが望ましくあり得る。トリム２０の選択的載置は、スロット溝１２または本明細書に説明されるもの等の他の取着構造が、関連位置において利用可能である加賀入り、行なうことができる。
【００２８】
図４、４Ａに描写されるように、トリム２０および乾式壁７が、位置付けおよび締結されると、テープ６および他の仕上げ塗りを乾式壁７およびトリム２０にわたって塗布することができ、化粧しっくい９を窓枠１０の外部部分に適用し、壁および窓システム１を仕上げることができる。必要に応じて、一般的に、泥土３と称される、接合混合物を抱きトリム２０と乾式壁７との間の境界に適用し、図４Ａに最も良く描写されるように、平滑表面を提供することができる。泥土３は、概して、陥凹部分２３近傍かつフランジ２７に沿って、陥凹空間に適用することができる。泥土は、したがって、締結具８に関連する粗面部分、トリム２０と壁７との間の筋目、または同等物を平滑にすることができる。好ましい実施形態は、接合混合物を泥土として使用することを想定する。しかしながら、他の実施形態では、テープ、石膏、または同等物等、他の材料を使用することができる。
【００２９】
いくつかの実施形態では、伸長本体２５の抱き表面は、泥土３または抱き表面を汚染することなく、他の仕上げ材料を迅速かつ容易に適用することができるように、保護テープによって事前に被覆することができる。そのような実施形態では、保護テープは、内部壁仕上げ作業が完了すると、除去される。さらに、付加的発泡体５を、トリムの抱き表面と建物枠構造との間の空間５０等、トリム２０と残りの構造との間の任意の間隙に挿入することができる。いくつかの実施形態では、トリム２０は、発泡体５の挿入のための付加的孔を含むことができる。発泡体の挿入のための孔は、トリム２０に沿った種々の場所に位置付けることができる。いくつかの実施形態では、発泡体挿入のための孔は、窓システム１を仕上げる前に、泥土が塗られる領域内のトリム２０の陥凹部分２３またはフランジ２７に沿ってあることができる。他の実施形態では、発泡体挿入孔は、伸長本体２５に沿ってあることができ、孔は、次いで、挿入部、コーキング、または同等物によって、被覆することができる。
【００３０】
別の実施形態では、図４Ａにおける想像線に示されるように、装飾部品８０を抱きトリム２０の伸長本体２５の抱き表面に取着することができる。抱きトリムは、挿入部８０を受容するように構成することができ、次いで、概して、伸長本体２５の一体形状抱き表面にわたって、新しい抱き表面を形成することができる。そのような挿入部８０は、不可逆的に取着する（例えば、接着剤、スプレー、溶接、相互係止構造等によって）、または可逆的に取着する（例えば、Ｖｅｌｃｒｏ（登録商標）TM、薄められた接着剤、磁石、フック等によって）ことができる。有利には、挿入部８０は、容易に代用することができる、種々の質感、色、設計等を有することができる。さらに、挿入部は、空間５０内への発泡体の挿入のための孔等の他の特徴を見えなくすることができる。さらなる実施形態では、挿入部８０は、改築を伴うことなく、窓抱きの外観を周期的に変化させるために変更することができる、季節に合わせるため等、複数の色、設計、および／またはパターンを伴う、キットとして提供することができる。可逆的に取着された挿入部３３０のさらなる実施例は、図６Ａ-６Ｃの実施形態に関連して、後述される。
【００３１】
有利には、トリム２０は、スロット溝１２および構成要素２ａ、２ｂ、２ｃ等の建物枠構造２から、比較的に容易に除去および交換することができる。したがって、例えば、新しい抱きトリム２０を設置すべき場合（例えば、抱き表面に異なる外観質を提供するために）、比較的に容易に行なうことができる。図１-４の実施形態では、泥土３およびテープ６を除去し、抱きトリム２０および窓システム１の残りへのその関連付けられた取着部を露出することができる。抱きトリム２０が、可逆的に取着される場合（例えば、ネジによって）、除去および交換することができる。有利には、抱きトリム２０、窓枠１０、およびスロット溝１２は、実質的相互互換性を提供する、標準的サイズを有することができる。
【００３２】
図５-５Ｃは、図１-４の窓システムといくつかの類似点を共有するが、また、付加的発明特徴を有する、別の実施形態の窓システムを描写する。別様に注記されない限り、図５-５Ｃに描写される要素は、図１-４の抱きトリム２０および図５-５Ｃの抱きトリム１２０等、図１-４の同様に番号が付与された要素といくつかの類似点を共有する。図５に描写されるように、仕上げられた窓システムは、窓１０に非垂直の面体を示す、抱きトリム１２０の一部を含むことができる。したがって、図５-５Ｃの実施形態は、他の差異に加え、異なる外観質を提供することができる。
【００３３】
図５Ａに最も良く描写されるように、抱きトリム１２０は、実質的に、前述の実施形態に説明されるものに類似し得るが、概して、伸長本体１２５とフランジ１２７との間の遷移において、異なり得る。より具体的には、図３Ｂの実施形態は、直線陥凹部分２３を有するが、図５Ａの実施形態は、より複雑な幾何学形状を有することができる。示されるように、唇縁として描写される、第３の部分１２８は、概して、本体１２５から９０度の角度において、延在することができる。次いで、付加的９０度の角度を形成し、略Ｕ形状を形成し、次いで、再び、曲がり、受容部分１２９を形成することができる。受容部分１２９は、したがって、唇縁１２８の背面の非可視部分、フランジ１２７、および、概して、伸長本体１２５に平行の唇縁とフランジ１２７との間に延在する接続部分によって画定されることができる。例証される実施形態では、背面部分は、伸長本体１２５および接続部分に対して直角であって、より具体的には、略垂直である。描写されるように、受容部分１２９は、フランジと背面部分との間に断面幅ｄ２を有することができる。好ましい実施形態では、幅ｄ２は、約５／８インチから１／２インチの範囲内であると予測することができるが、なおも異なる幅を有する、実施形態も、壁部材の厚さに応じて、予測することができる。より特定の実施形態では、幅ｄ２は、壁部材１０７の幅より若干大きくあることができる。
【００３４】
抱きトリム１２０は、前述の実施形態のものと同様に挿入することができる。しかしながら、留意されるように、抱きトリム１２０は、乾式壁１０７等の壁部材の適用に先立って、適用することができる。本実施形態では、抱きトリム１２０は、乾式壁１０７が適用される前に、締結具１０８を受容するように描写される。しかしながら、また、類似原理は、乾式壁が適用された後、締結具１０８を受容するトリムに適用することができることが想定される。
【００３５】
抱きトリム１２０は、前述の実施形態のものに類似する、伸長本体１２５上に抱き表面を含むことができる。しかしながら、抱きトリム１２０はまた、本体１２５上の第１の抱き表面に略垂直にあるように提示される、第３の部分１２８上の第２の抱き表面を含むことができる。第２の抱き表面は、他の実施形態に関して前述のものと同様に、側面端部上の隣接する抱きトリム１２０に当接することができる。さらに、第２の抱き表面は、類似する種々の外観特性を有することができる。
【００３６】
乾式壁受容部分１２９は、唇縁１２８によって、より具体的には、その第２の抱き表面によって遮蔽される空間を生成することができる。乾式壁受容部分１２９は、したがって、乾式壁１０７を受容し、その縁を遮蔽することができる。したがって、乾式壁の縁が不完全であり得ることができるのいかなる可視指標も残すことなく、比較的に未仕上げかつ荒削りの乾式壁１０７を設置することができる。好ましい実施形態では、受容部分１２９は、そのような不完全性を隠すために十分な深度を有することができる。さらに、いくつかの実施形態では、受容部分１２９の幅ｄ２は、小間隙が、受容部分１２９内の乾式壁１０７における仕上げ作業のためのアクセスを可能にするために残されるように、乾式壁１０７の幅より若干大きくあることができる。しかしながら、他の実施形態では、乾式壁１０７は、緊密嵌合を生成するように、受容部分１２９の幅ｄ２に略等しい幅を有することができる。
【００３７】
図６Ａ-６Ｃは、窓システムのさらなる実施形態を描写する。描写されるように、図６Ａ-６Ｃの窓システムは、幾分、図５-５Ｃの実施形態に類似する（また、類似番号付与の要素を伴う）が、いくつかの付加的発明特徴を伴うことができる。図６Ａ-６Ｃに描写されるように、伸長本体２２５は、その長さの実質的部分にわたって、湾曲することができる。しかしながら、描写されるように、第１の端部２２２ａは、直線スロット溝２１２内への進入のために、直線のままであることができる。湾曲は、乾式壁受容部分２２９まで継続し、伸長本体２２５とともに、第３の部分２２８を平滑にすることができる。さらに、乾式壁受容部分２２９は、図５Ａ-５Ｃの箱状唇縁とは対照的に、平滑かつ湾曲唇縁２２８から形成することができる。平滑にされた唇縁２２８は、有利には、仕上げ作業が、本陥凹の内側で行なうことができるように、乾式壁受容部分２２９に当接する、壁２０７の端部へのある程度のアクセスを可能にすることができる。しかしながら、唇縁２２９はまた、壁２０７の本端部を視界から遮蔽し、仕上げ作業における任意の不完全性の可視性を低減することができる。
【００３８】
図７Ａ-７Ｃは、窓システムのさらに別の実施形態を描写する。概して、図７Ａ-７Ｃの実施形態は、図５に描写されるものに類似する装飾外観を生成することができる。しかしながら、本実施形態では、設計は、よりモジュール式かつ相互交換可能であることができる。さらに、描写されるように、図７Ａ-７Ｃの実施形態は、図５に描写されるものより遥かに大きい抱きをもたらす、挿入部３３０を含むことができるが、異なるサイズもまた、想定される。
【００３９】
図７Ａに最も良く描写されるように、トリム３２０は、本体の長さに沿って、伸長本体３２５に取着され、そこから、略垂直に延在する、フランジ３２７を伴う、略Ｔ形状であることができる。伸長本体３２５は、フランジ３２７を越えて延在し、第１の端部３２２ａと反対に延在部分３２１を形成することができる。さらに、伸長本体３２５に沿って、トリム３２０は、１つ以上の接続部３２６を含むことができる。トリム３２０は、次いで、図５-５Ｃに描写される実施形態と同様に、壁３０７および構造枠２と組み立て、壁をトリム３２０の後に挿入することができる。しかしながら、いくつかの実施形態では、トリム３２０は、壁３０７を覆うことができ、その適用は、逆にすることができる。
【００４０】
トリム３２０および壁３０７が適用されると、挿入部３３０を適用することができる。図７Ｂは、例証的簡略化された挿入部３３０を描写する。挿入部３３０は、第１の脚部３３２および第２の脚部３３３を伴う、略Ｌ形状を有することができる。示されるように、挿入部３３０は、第１の脚部３３２の内側部分上の接続部３３６と、第１の脚部に略平行かつ第１と第２の脚部との間の継手に位置する、挿入部スロット３３１と、を含むことができる。
【００４１】
図７Ｂにさらに描写されるように、抱きトリム３２０の接続部３２６および延在部分３２１は、挿入部３３０の取着を促進することができる。例えば、トリムの接続部３２６は、挿入部の接続部３３６と相互作用し、２つをともに取着することができる。描写されるように、トリムの接続部３２６は、フックであることができ、挿入部の接続部３３６は、フック受容孔であることができる。さらに、延在部分３２１は、スロット３３１に進入し、接続を向上させることができる。しかしながら、フック／スロットおよびその対応する構造の載置の逆、ならびに概して、本明細書に説明され、当技術分野において周知のような他の形態の取着部を含む、他の協働接続部も想定される。例えば、いくつかの実施形態では、接続部３２６、３３６は、挿入部を定位置に保持するための戻り止め機構を含んでもよく、またはそうでなくてもよい、スライド式トラックを含む、スナップまたは他の接続部であることができる。
【００４２】
挿入部３３０は、概して、それらを被覆することによって、前述の実施形態説明される抱き表面を交換することができる。したがって、挿入部３３０は、その可視表面上に相互交換可能な外観特徴を提供することができる。
【００４３】
本明細書に論じられる発明実施形態の特徴は、時として、窓と併用される、他の構造と併せて採用することができる。例えば、いくつかの実施形態では、抱きトリムシステムは、ロールアップ式ブラインドシステムを収容するように構成することができる。窓システム１のさらに別の実施形態は、図８-８Ｅに描写される。図８に描写されるように、ブラインド４６２は、窓１０（ブラインド４６２の背後に描写される想像線）を遮蔽するように展開することができる。有利には、ブラインド４６２は、その展開関連構成要素が、図８Ａおよび８Ｂに描写されるように、空間４５０内において、視界から隠されるように、提供することができる。図８Ａおよび８Ｂは、概して、ブラインド４６２およびその対応する構造を格納するように拡大することができる、上側抱きトリム４２０ａとマグサ２ａとの間の空間４５０を描写する。窓１０の側面上の抱きトリム４２０ｂおよび窓の底面における抱きトリム４２０ｃは、ブラインド４６２を受容するように構成することができる。例えば、図８Ｃ-８Ｅにおいて、さらに後述および描写されるように、側面抱きトリム４２０ｂは、窓１０に沿って進行するのに伴って、ブラインド４６２の縁を受容する、ブラインドトラック４６５を有することができる。
【００４４】
ブラインド４６２は、ブラインドロールを中心とする位置にまたはそこから、ブラインド４６２を後退あるいは展開するように回転することができる、ブラインドロール４６０に取着することができる。ブラインド４６２は、展開および後退の間、抱きトリム４２０ａ内の開口部４６４を通過することができる。ブラインド端部部品４６８は、ブラインド４６２が、開口部４６４から出射するのを防止することができ、加えて、ブラインド４６２のためのバラストを提供することができる。さらに、ガイドローラ４６６は、開口部４６４の通過を促進するために提供することができる。
【００４５】
ブラインドは、種々の方法で展開および後退することができる。一実施形態では、ブラインドロール４６０は、時計回りおよび反時計回りの両方向にロールし、ブラインドを展開または後退させるようにモータ駆動することができ、そのようなモータは、空間４５０内に提供することができる。別の実施形態では、ブラインドロール４６０は、当技術分野において周知の種々の機構を介して、手動で動作させることができる。
【００４６】
ブラインドロール４６０およびガイドロール４６６は、種々の方法において、空間４５０内に搭載することができる。一実施形態では、ロール４６０、４６６は、直接、建物枠構造に搭載することができる。別の実施形態では、ロールは、上側抱きトリム４２０ａに搭載することができる。さらに別の実施形態では、ロール４６０、４６６は、次いで、上側トリム４２０ａまたは建物枠構造内またはそれに搭載される、独立筐体に入れることができる。
【００４７】
図８Ａ、８Ｂに描写されるように、上側トリム４２０ａは、ブラインド４６２を収容するための空間４５０を提供することができる。さらに、いくつかの実施形態では、本空間４５０はさらに、マグサ２ａ内の切り欠きによって増加させることができる。加えて、側面トリム４２０ｂはまた、図８Ｃ-８Ｅに描写されるように、異なることができる。描写されるように、側面トリム４２０ｂ内のブラインドトラック４６５は、抱き表面に沿った溝の形態である。ブラインド４６２およびブラインド端部４６８は、ブラインド４６２が、確実に、窓枠１０全体にわたって及び、その周縁を中心として、窓全体を遮蔽するように、両端上のブラインドトラック４６５を通過することができる。ブラインドトラック４６５はまた、概して、ブラインド４６２を安定化させ、微風または他の力の下、望ましくない揺動を防止することができる。本明細書では、そのように描写されないが、いくつかの実施形態では、底面トリム４２０ｃはまた、同様に、その底面に、窓枠１０にわたってブラインド４６２が完全に及ぶように、ブラインド４６２およびブラインド端部４６８を受容するための溝を含むことができる。いくつかの実施形態では、ブラインドトラック４６５は、約１インチの深度を有することができる。
【００４８】
図８Ａ-８Ｅにおけるブラインド４６２を伴う実施形態は、いくつかの点で異なり得る。例えば、トリム４２０ａ-４２０ｃは、乾式壁７下に行くように描写される。しかしながら、他の実施形態では、図１-４の実施形態におけるように、乾式壁７上に行くことができる。さらに、溝４６５を伴わない側面トリム等、トリム４２０の異なる組み合わせを使用することができる。さらに、いくつかの実施形態では、溝４６５およびブラインド端部４６８は、概して、相互係止蟻継ぎ形状を有し、さらに、ブラインド端部４６８を溝４６５内に保定することができる。
【００４９】
別の実施例として、いくつかの実施形態では、同一原理は、ロールアップ式セキュリティドアと併用することができる。例えば、ブラインド４６２は、同様に、窓１０を下方に進行する、金属ロールアップ式ドアと交換することができる。セキュリティドアは、いくつかの実施形態では、マグサ２ａ内のローラコンテナによって、またはマグサと上側トリム４２０ａとの間のより大きな空間４５０によって、収容することができる。他の実施形態では、窓システムは、上側抱きトリム４２０ａを欠いていてもよい。
【００５０】
さらに別の実施例として、いくつかの実施形態では、類似原理は、図８Ｆおよび８Ｇに描写されるように、垂直ブラインドと併用することができる。描写されるように、垂直ブラインド５６２は、ブラインドトラック４６５に類似する、側面スロット５６５によって、側面トリム５２０ｂ内に後退することができる。類似修正は、上側抱きトリム４２０ａにおいて、垂直ブラインドのためのトラックを収容するように、例えば、開口部４６４に類似するスロットを通して、行なうことができる。
【００５１】
図９Ａ-９Ｇは、同様に想定される、付加的代替抱きトリムを描写する。図９Ａは、図１-４のものに類似する構造を有するが、丸面隅を有する、トリム６２０ａを描写する。
【００５２】
図９Ｂは、図８Ａのものに実質的に類似するが、陥凹部分６２３を伴わない、抱きトリム６２０ｂの実施形態を描写する。そのような実施形態では、フランジ６２７は、接着剤の層を含むことができ、壁部材７における仕上げ作業が完了した後、設置されてもよい。
【００５３】
図９Ｃは、抱きトリム６２０ｃの別の実施形態を描写する。描写されるように、抱きトリム６２０ｃは、階段状パターンにおいて、複数のステップを伴う、抱き表面６２５を有することができる。
【００５４】
図９Ｄは、抱きトリム６２０ｄの別の実施形態を描写する。描写されるように、抱きトリム６２０ｄは、複数の湾曲を伴う、抱き表面６２５を有することができる。
【００５５】
図９Ｅは、抱きトリム６２０ｅの別の実施形態を描写する。描写されるように、抱きトリム６２０ｅは、ピラミッド状配列において、複数の角度付けられたステップを伴う、抱き表面６２５を有することができる。
【００５６】
図９Ｆは、抱きトリム６２０ｆの別の実施形態を描写する。描写されるように、抱きトリム６２０ｆは、その伸長部分に沿って、長方形突起を有する、抱き表面６２５を有することができる。加えて、抱きトリム６２０ｆは、逆丸面隅を有することができる。
【００５７】
図９Ｇは、抱きトリム６２０ｇの別の実施形態を描写する。描写されるように、抱きトリム６２０ｇは、その伸長部分に沿って、長方形切り欠きを有することができる。本明細書の本開示から、種々の隅設計が可能であることが明白であろう。
【００５８】
有利には、いくつかの窓枠システムでは、窓１０、トリム２０、挿入部３０、およびブラインド６２（および、その対応する構造）は、協働サイズを有し、実質的モジュール性を提供することができる。例えば、いくつかの実施形態では、窓１０およびそのスロット溝１２の高さならびに長さは、トリム２０の製造された長さに対して、実質的精度を伴って、対応することができる。いくつかの実施形態では、複数の窓、トリム、および挿入部は、前述のように、類似寸法を伴って、製造することができる。他の実施形態では、それらは、特異的かつ一意的に成形された窓、トリム設計、または挿入部設計のために製造することができる。窓１０および整合トリム２０は、次いで、有利には、キットとして、ともに提供することができる。
【００５９】
同様に、いくつかの実施形態では、スロット溝１２の深度は、スロット溝内に延在する寸法における抱きトリム２０の長さとともに、事前に判定することができる。したがって、スロット溝１２の深度によって減算されたトリム２０の長さは、トリムの利用可能な長さを示すことができる。同様に、フック３２６またはトリム３２０上のフック受容部分のこれらの寸法および場所は、窓１０からの要素距離を示すことができる。挿入部は、次いで、その対応する取着構造から窓１０までの長さが、抱きトリム３２０に対するものと同一であって、組み立てられると、挿入部３３０と窓１０との間に緊密嵌合をもたらすように、定寸することができる。同様に、挿入部３３０は、トリム３２０の延在部分３２１に整合し、第２の端部において、トリムと挿入部との間に緊密嵌合を提供する、受容部分を含むことができる。
【００６０】
さらなる実施形態では、トリム２０は、（窓１０およびそのスロット溝１２とともに）特定のサイズの構造要素を収容するように構成することができる。例えば、図４Ａに最も良く描写されるように、部品は、化粧しっくい９と乾式壁７との間に、２×４、２×６、または他のサイズの梁２を収容するように定寸することができる。所定の幅の乾式壁７が、抱きトリム２０、スロット溝１２、および窓１０を定寸する時、仮定することができる。
【００６１】
トリムおよび挿入部は、木材、金属、プラスチック等を含む、種々の材料から作製することができる。しかしながら、他の材料も可能である。
【００６２】
例証される実施形態では、抱きトリムは、窓枠内に形成される伸長スロットまたは溝内に嵌合する、部分または端部を有するように説明された。したがって、窓枠上のスロットは、メス型接続部または受容部である一方、抱きトリムの挿入された端部は、オス型接続部または突起である。他の実施形態は、本明細書に論じられるような特徴および概念を採用してもよいが、異なる構造を採用してもよいことを理解されたい。例えば、いくつかの実施形態では、窓枠接続部は、抱きトリム上に形成されるメス型接続部内に受容される、突起であってもよい。加えて、例証される実施形態は、窓枠の縁に略平行であって、その長さに沿って、抱きトリムに係合する、伸長の略直線スロットを示すが、窓枠および抱きトリムの接続部が、必ずしも、窓枠の縁に平行ではない方向において、少なくともいくつかの部分において、断続的および／または指向される、他の実施形態も想定される。
【００６３】
前述の種々のデバイス、方法、手順、および技法は、本発明を実践するためのいくつかの方法を提供する。当然ながら、必ずしも、説明される全部の目的または利点が、本明細書に説明される任意の特定の実施形態に従って、達成され得るわけではないことを理解されたい。また、本発明は、ある実施形態および実施例の文脈において開示されたが、本発明は、具体的に開示される実施形態を越えて、他の代替実施形態および／または用途ならびに明白な修正およびその均等物に及ぶことが、当業者によって理解されるであろう。故に、本発明は、本明細書の好ましい実施形態の具体的開示によって限定されるように意図されない。
【図１】
0006030053.tif 000002
【図２】
0006030053.tif 000003
【図２Ａ】
0006030053.tif 000004
【図２Ｂ】
0006030053.tif 000005
【図３】
0006030053.tif 000006
【図３Ａ】
0006030053.tif 000007
【図３Ｂ】
0006030053.tif 000008
【図４】
0006030053.tif 000009
【図４Ａ】
0006030053.tif 000010
【図５】
0006030053.tif 000011
【図５Ａ】
0006030053.tif 000012
【図５Ｂ】
0006030053.tif 000013
【図５Ｃ】
0006030053.tif 000014
【図６Ａ】
0006030053.tif 000015
【図６Ｂ】
0006030053.tif 000016
【図６Ｃ】
0006030053.tif 000017
【図７Ａ】
0006030053.tif 000018
【図７Ｂ】
0006030053.tif 000019
【図７Ｃ】
0006030053.tif 000020
【図８】
0006030053.tif 000021
【図８Ａ】
0006030053.tif 000022
【図８Ｂ】
0006030053.tif 000023
【図８Ｃ】
0006030053.tif 000024
【図８Ｄ】
0006030053.tif 000025
【図８Ｅ】
0006030053.tif 000026
【図８Ｆ】
0006030053.tif 000027
【図８Ｇ】
0006030053.tif 000028
【図９Ａ】
0006030053.tif 000029
【図９Ｂ】
0006030053.tif 000030
【図９Ｃ】
0006030053.tif 000031
【図９Ｄ】
0006030053.tif 000032
【図９Ｅ】
0006030053.tif 000033
【図９Ｆ】
0006030053.tif 000034
【図９Ｇ】
0006030053.tif 000035